(57)【特許請求の範囲】
【請求項１】
外周に沿って案内溝が形成される円板状のシーブに取り付けられており、上記案内溝に引っ掛けられる索が上記シーブから外れることを阻止する索の外れ止め装置において、
上記シーブの両側に相対向して配置されている一対の回転体と、
上記各回転体に取り付けられるとともに上記シーブに摺接する摺動部材と
上記回転体の端部に上記案内溝の両側に起立した状態に形成されるとともに上記案内溝に沿って移動可能な一対の回転ガイドと、
上記回転ガイドの間に回転可能に保持されているメインローラとを備え、
上記索が上記メインローラと上記案内溝との間を通って垂れ下げられており、
上記シーブの両側には、環板状のハウジング片がそれぞれ固定されており、
上記ハウジング片と上記シーブとの間に環状のポケットが形成されており、
上記摺動部材が、環状に形成されて内周側が上記ポケット内に挿入されている
ことを特徴とする索の外れ止め装置。
【請求項２】
上記案内溝の両側に起立し上記回転ガイドとともに上記案内溝に沿って移動可能な他の一対の回転ガイドと、上記他の回転ガイドの間に回転可能に保持されている第一補助ローラとを備えており、
上記索が上記メインローラと上記第一補助ローラとの間から垂れ下げられていることを特徴とする請求項１に記載の索の外れ止め装置。
【請求項３】
上記案内溝の両側に起立し上記回転ガイドとともに上記案内溝に沿って移動可能なその他の一対の回転ガイドと、上記その他の回転ガイドの間に回転可能に保持される第二補助ローラとを備え、
上記第二補助ローラと上記案内溝との間が上記索の径よりも大きく設定され、
上記索は、上記第二補助ローラと上記案内溝との間を通るとともに、上記メインローラの上記案内溝との間を通ったところから垂れ下げられていることを特徴とする請求項１または請求項２に記載の索の外れ止め装置。
【請求項４】
上記各回転体の端部に上記他の回転ガイドが形成されていることを特徴とする請求項２または請求項２を引用する請求項３に記載の索の外れ止め装置。
【請求項５】
上記各回転体の端部に上記その他の回転ガイドが形成されていることを特徴とする請求項３または請求項３を引用する請求項４に記載の索の外れ止め装置。
【請求項６】
上記案内溝は、中央部が深く、両端にかけて徐々に浅くなるよう形成されていることを特徴とする請求項１から請求項５の何れか一項に記載の索の外れ止め装置。
【請求項７】
上記メインローラは、中央部が大径で両端にかけて徐々に小径に形成されており、上記メインローラの中央部が上記案内溝の中央部に対向していることを特徴とする請求項６に記載の索の外れ止め装置。
【請求項８】
上記第二補助ローラは、中央部が大径で両端にかけて徐々に小径に形成されており、上記第二補助ローラの中央部が上記案内溝の中央部に対向していることを特徴とする請求項３を引用する請求項６、または請求項３を引用する請求項６を引用する請求項７に記載の索の外れ止め装置。
【請求項９】
上記第一補助ローラは、円筒状に形成されていることを特徴とする請求項２、または請求項２を引用する請求項３から請求項８の何れか一項に記載の索の外れ止め装置。
【請求項１０】
船舶の甲板上に搖動可能に起立するとともに上記索を介して吊荷を吊持する門型のクレーンと、上記索を繰り出し、巻き取るウインチと、上記索を案内する上記シーブとを備える吊荷の着水揚収装置に利用され、
上記クレーンが一対の縦支柱と、この縦支柱の間に架設される横支柱とを備えており、上記シーブが上記横支柱に固定されるアームに回転可能に支持されるトップシーブであり、このトップシーブに取り付けられていることを特徴とする請求項１から請求項９の何れか一項に記載の索の外れ止め装置。
【発明の詳細な説明】
【技術分野】
【０００１】
本発明は、索の外れ止め装置の改良に関し、索の引っ掛かり量に応じて索の外れ止めをすることを可能にする。
【背景技術】
【０００２】
一般的に、吊荷を船舶上から海上に降ろしたり、海上から船舶上に引き揚げたりする着水揚収装置において、船舶上に搭載されるクレーンにシーブを取り付けて索を引っ掛け、この索の先端に吊荷を接続するとともに、ウインチで索を巻き取ったり繰り出したりすることにより吊荷の揚降作業を行っている。そして、このような着水揚収装置においては、索がシーブから外れることを阻止するため、索の外れ止め装置を備えている。
【０００３】
例えば、特許文献１に開示の索の外れ止め装置は、シーブを回転可能に支持する滑車取付枠に立設されるローラ支承軸と、このローラ支承軸に回転可能に取り付けられるローラとを備えている。そして、シーブの外周に沿って形成されるとともに索が引っ掛かる案内溝の外周縁に接近するように、上記ローラが設けられている。
【０００４】
これにより、索が案内溝から外れようとするとローラに当接することから、上記索の外れ止め装置は、索がシーブから外れることを阻止することが可能となる。
【先行技術文献】
【特許文献】
【０００５】
【特許文献１】特開平９−２６３３８７号公報
【発明の概要】
【発明が解決しようとする課題】
【０００６】
ここで、図８に示すように、従来の索の外れ止め装置Ａ１が、船舶の甲板上に揺動可能に起立する門型のクレーンＣにおいて、シーブ１を回転可能に支持するアームＤに取り付けられ、このアームＤがクレーンＣに固定されている場合、索２のシーブ１から垂れ下がる部分２ａに対するクレーンＣの角度がクレーンＣの姿勢変化に応じて変化し、シーブ１に対する索２の引っ掛かり量が増減する。
【０００７】
そして、索２が索の外れ止め装置Ａ１のローラ９に当たって屈曲することを防ぐため、上記従来の索の外れ止め装置Ａ１においては、図８中実線で示すように、クレーンＣが海側に傾斜し、シーブ１に対する索２の引っ掛かり量が最も減少する位置（以下、最振り出し位置という）で索２の外れ止めをするように、索の外れ止め装置Ａ１を取り付ける必要があり、以下の不具合を指摘される虞がある。
【０００８】
すなわち、図８中二点鎖線で示すように、上記最振り出し位置からクレーンＣが船体側に傾斜すると、索２のシーブ１から垂れ下がる部分２ａがクレーン側に移動してシーブ１に対する索２の引っ掛かり量が増加する。
【０００９】
しかし、従来の索の外れ止め装置Ａ１は、クレーン側に固定されているため、シーブ１に対する索２の引っ掛かり量が増えたとしても、これに追従することができず、シーブ１に対する索２の引っ掛かり量が増える程、索の外れ止め装置Ａ１によって外れ止めされていない部分Ｍが増え、索２がシーブ１から外れ易い配置となる虞がある。
【００１０】
そこで、本発明の目的は、シーブへの索の引っ掛かり量に応じて、常に索のシーブから離れる位置近傍にて索の外れ止めをすることが可能な索の外れ止め装置を提供することである。
【課題を解決するための手段】
【００１１】
上記課題を解決するための手段は、外周に沿って案内溝が形成される円板状のシーブに取り付けられており、上記案内溝に引っ掛けられる索が上記シーブから外れることを阻止する索の外れ止め装置において、上記シーブの両側に相対向して配置されている一対の回転体と、上記各回転体に取り付けられるとともに上記シーブに摺接する摺動部材と上記回転体の端部に上記案内溝の両側に起立した状態に形成されるとともに上記案内溝に沿って移動可能な一対の回転ガイドと、上記回転ガイドの間に回転可能に保持されているメインローラとを備え、上記索が上記メインローラと上記案内溝との間を通って垂れ下げられており、上記シーブの両側には、環板状のハウジング片がそれぞれ固定されており、上記ハウジング片と上記シーブとの間に環状のポケットが形成されており、上記摺動部材が、環状に形成されて内周側が上記ポケット内に挿入されていることである。
【発明の効果】
【００１２】
本発明によれば、索の外れ止め装置は、シーブへの索の引っ掛かり量に応じて、常に索のシーブから離れる位置近傍にて索の外れ止めをすることが可能となる。
【図面の簡単な説明】
【００１３】
【図１】本発明の一実施の形態に係る索の外れ止め装置をシーブに取り付けた状態を示す横断面図である。
【図２】本発明の一実施の形態に係る索の外れ止め装置が取り付けられたシーブを備える着水揚収装置を示し、（ａ）は着水揚収装置の右側面図、（ｂ）は着水揚収装置の背面図である。
【図３】図１の一部を拡大して示す横断面図である。
【図４】本発明の一実施の形態に係る索の外れ止め装置をシーブに取り付けた状態を示す正面図である。
【図５】本発明の一実施の形態に係る索の外れ止め装置をシーブに取り付けた状態を示し、（ａ）はメインローラ部分、（ｂ）は第一補助ローラ部分、（ｃ）は第二補助ローラ部分を拡大して示す横断面図である。
【図６】本発明の一実施の形態に係る索の外れ止め装置をシーブに取り付けた状態を部分的に示す正面図であり、索が跳ねあがった状態を示す。
【図７】本発明の一実施の形態に係る索の外れ止め装置をシーブに取り付けた状態を部分的に示す正面図であり、索が浮き上がった状態を示す。
【図８】従来の索の外れ止め装置が取り付けられたシーブを備える着水揚収装置を示す右側面図である。
【発明を実施するための形態】
【００１４】
以下に本発明の一実施の形態を示す索の外れ止め装置について、図面を参照しながら説明する。いくつかの図面を通して付された同じ符号は、同じ部品を示す。
【００１５】
図１に示すように、本実施の形態に係る索の外れ止め装置Ａは、外周に沿って案内溝１０が形成される円板状のシーブ１に取り付けられて、上記案内溝１０に引っ掛けられる索２が上記シーブ１から外れることを阻止するものである。
【００１６】
そして、上記索の外れ止め装置Ａは、上記案内溝１０の両側に起立するとともに上記案内溝１０に沿って移動可能な一対の回転ガイド３２ｂ，３２ｂと、これら回転ガイド３２ｂ，３２ｂの間に回転可能に保持されるメインローラ４とを備え、上記索２が上記メインローラ４と上記案内溝１０との間を通って垂れ下げられる。
【００１７】
また、本実施の形態において、上記索の外れ止め装置Ａは、図２に示すように、救命艇や調査艇などの吊荷Ｂを船舶から海上に降ろしたり、海上から船舶上に引き揚げたりする着水揚収装置に利用されている。
【００１８】
そして、上記着水揚収装置は、船舶の甲板上に搖動可能に起立して索２を介して上記吊荷Ｂを吊持するクレーンＣと、上記索２を繰り出し、巻き取るウインチＷと、クレーンＣにウインチＷから延びる索２を案内するシーブ１とを備えている。そして、上記索２の反ウインチ側の端部に吊荷Ｂを連結し、上記クレーンＣの傾きを変更したり、ウインチＷで索２を巻き取ったり、繰り出したりすることで吊荷Ｂを所定の位置に移動することができる。
【００１９】
つづいて、本実施の形態において、上記クレーンＣは、図２（ｂ）に示すように、一対の縦支柱Ｃ１，Ｃ１と、この縦支柱Ｃ１，Ｃ１の上端の間に架設される横支柱Ｃ２とを備えて門型に形成されている。
【００２０】
そして、本実施の形態において、上記シーブ１は、クレーンＣの横支柱Ｃ２に固定されるアームＤに回転可能に片持ち支持されているトップシーブであり、上記アームＤの角度はクレーンＣに対して変化しない。また、索２は常に鉛直方向に垂れ下がっており、索２におけるシーブ１から垂れ下がる部分２ａとクレーンＣとの角度がクレーンＣの姿勢変化に応じて変化する。そして、これに伴いシーブ１に対する索２の引っ掛かり量が増減する。
【００２１】
つまり、クレーンＣが海側に傾斜するときには、索２のシーブ１から垂れ下がる部分２ａがクレーンＣから離れてシーブ１に対する索２の引っ掛かり量が減少する。他方、クレーンＣが船体側に傾斜するときには、索２のシーブ１から垂れ下がる部分２ａがクレーン側に移動してシーブ１に対する索２の引っ掛かり量が増加する。そして、索２の引っ掛かり量が減少するとき、索２がシーブ１から離れる位置はクレーンＣに近くなり、索２の引っ掛かり量が増加するとき、索２がシーブ１から離れる位置はクレーンＣから遠ざかる。
【００２２】
つづいて、上記シーブ１は、円板状に形成されて、図１に示すように、軸心部を貫通する孔１１が形成されており、アームＤに起立する軸Ｄ１の外周に軸受５を介して回転可能とされている。
【００２３】
さらに、上記シーブ１には、上記したように、外周に沿って索２を引っ掛けるための案内溝１０が形成されている。そして、この案内溝１０は、中央部１０ａが最も深く、両端にかけて徐々に浅くなるように形成されている。
【００２４】
つづいて、上記シーブ１のアーム側及び反アーム側（両側）には、シーブ１の内周に上記軸受５を保持するための一対の環板状のハウジング片６，６が設けられている。
【００２５】
これらハウジング片６，６は、共通の構成を有しており、図３に示すように、シーブ１の内周端部１２ａにボルト６０でそれぞれ固定されるとともに、その内周に設けられるシール６１を介して上記軸Ｄ１の外周面に摺接しており、シーブ１とともに回転することができる。
【００２６】
さらに、各ハウジング片６，６のシーブ側面には、外周に沿って断面Ｌ字状の溝が形成されており、シーブ１との間にシーブ１と同心円となる環状のポケット６ａが形成されている。
【００２７】
そして、本実施の形態において、索の外れ止め装置Ａは、上記シーブ１に取り付けられており、以下、本実施の形態に係る索の外れ止め装置Ａの各構成について詳細に説明する。
【００２８】
本実施の形態に係る索の外れ止め装置Ａは、図１に示すように、シーブ１のアーム側と反アーム側（両側）にシーブ１と相対回転可能に取り付けられる一対の回転体３，３と、各回転体３，３に取り付けられてシーブ１に摺接する環状の摺動部材７，７と、一対の回転体３，３の間に架設される三本のローラ軸８，８Ａ，８Ｂ（図５）と、対応するローラ軸８，８Ａ，８Ｂの外周に回転可能に保持されるメインローラ４、第一補助ローラ４Ａ、第二補助ローラ４Ｂ（図４，５）とを備えている。
【００２９】
そして、上記一対の回転体３，３は、図４に示すように、それぞれ略扇形に形成されてシーブ１を介して向かい合うように配置されており、共通の構成を備えている。さらに、各回転体３，３は、回転中心側の連結環３０と、この連結環３０が取り付けられる取り付け孔３１ａが形成される第一支持片３１と、この第一支持片３１の一方側に配置される第二支持片３２と、上記第一支持片３１と第二支持片３２とを連結する一対の連結片３３，３３とからなっている。
【００３０】
上記連結環３０は、図３に示すように、上記第一支持片３１の取り付け孔３１ａに嵌め込まれた状態で溶接固定されており、シーブ側面がシーブ１に摺接可能となっている。さらに、連結環３０のシーブ側面には、内周に沿って断面Ｌ字状の溝３０ａが形成されており、この溝３０ａ内に摺動部材７の外周側が挿入されてボルト７０で連結されている。
【００３１】
そして、上記摺動部材７は、シーブ側面がシーブ１に摺接するとともに、内周側がハウジング片６のポケット６ａに挿入されて摺接している。つまり、摺動部材７は、内周側がハウジング片６とシーブ１との間に挟まれた状態となっていることから、シーブ１に摺接した状態に維持される。
【００３２】
また、本実施の形態において、上記摺動部材７は黄銅製であり、摺動性を有しているが、摺動性を有していれば黄銅以外の素材で形成されていても良い。
【００３３】
また、上記したように、上記ポケット６ａがシーブ１と同心円であり、摺動部材７がポケット６ａに沿って回転することから、索の外れ止め装置Ａとシーブ１の回転中心が同じになる。
【００３４】
もどって、上記摺動部材７に連結環３０を介して連結される第一支持片３１及び第二支持片３２は、シーブ１との間に所定の隙間をもって配置されており、シーブ１と接触しないようになっている。
【００３５】
また、上記第二支持片３２の反連結環側の端部には、図４に示すように、シーブ１の外周から突出するとともにシーブ１の周方向に沿って三つの回転ガイド３２ａ，３２ｂ，３２ｃが並んで設けられている。そして、一方の回転体３の各回転ガイド３２ａ，３２ｂ，３２ｃは、他方の回転体３の各回転ガイド３２ａ，３２ｂ，３２ｃと対向して対となり、本実施の形態に係る索の外れ止め装置Ａは、三対の回転ガイド（３２ａ，３２ａと、３２ｂ，３２ｂと、３２ｃ，３２ｃ）を備えている。
【００３６】
このため、三対の回転ガイド（３２ａ，３２ａと、３２ｂ，３２ｂと、３２ｃ，３２ｃ）がシーブ１の案内溝１０の両側に起立するとともに、三対の回転ガイドとシーブ１の回転中心が同じになることから、各回転ガイド３２ａ，３２ｂ，３２ｃが案内溝１０に沿って移動することができる。
【００３７】
そして、図５に示すように、対となる回転ガイド（３２ａ，３２ａと、３２ｂ，３２ｂと、３２ｃ，３２ｃ）の間に上記ローラ軸８，８Ａ，８Ｂがそれぞれ架設されており、図４中、中央の回転ガイド３２ｂ，３２ｂの間に架設されるローラ軸８にメインローラ４が取り付けられ、吊荷側の回転ガイド３２ａ，３２ａの間に架設されるローラ軸８Ａに第一補助ローラ４Ａが取り付けられ、ウインチ側の回転ガイド３２ｃ，３２ｃの間に架設されるローラ軸８Ｂに第二補助ローラ４Ｂが取り付けられている。
【００３８】
また、ウインチ側から延びてシーブ１の案内溝１０に引っ掛かる索２は、図４に示すように、第二補助ローラ４Ｂと案内溝１０との間を通り、メインローラ４と案内溝１０との間を通ったところから鉛直方向に垂れ下がっており、第一補助ローラ４Ａと案内溝１０との間を通らないようになっている。
【００３９】
つづいて、中央の回転ガイド３２ｂ，３２ｂの間に回転可能に保持されるメインローラ４は、図５（ａ）に示すように、回転ガイド３２ｂ，３２ｂの間に架設されるローラ軸８の外周に回転可能に取り付けられており、中央部４０が大径に形成されるとともに、両端にかけて徐々に縮径されている。そして、メインローラ４の中央部４０がシーブ１の案内１０溝の中央部１０ａ（最深部）に対向するように配置され、メインローラ４の中央部４０と案内溝１０との間を索２が通っている。
【００４０】
また、上記メインローラ４の吊荷側に起立する回転ガイド３２ａ，３２ａの間に回転可能に保持される第一補助ローラ４Ａは、図５（ｂ）に示すように、回転ガイド３２ａ，３２ａの間に架設されるローラ軸８Ａの外周に回転可能に取り付けられており、円筒状に形成されている。そして、この第一補助ローラ４Ａとシーブ１の案内溝１０との間には上記したように索２が通っておらず、第一補助ローラ４Ａは通常時において索２と接触しないよう設定されている。
【００４１】
また、上記メインローラ４のウインチ側に起立する回転ガイド３２ｃ，３２ｃの間に回転可能に保持される第二補助ローラ４Ｂは、図５（ｃ）に示すように、回転ガイド３２ｃ，３２ｃの間に架設されるローラ軸８Ｂの外周に回転可能に取り付けられている。また、第二補助ローラ４Ｂは、メインローラ４と同じ形状を有して中央部４１が大径に形成されている。そして、この第二補助ローラ４Ｂとシーブ１の案内溝１０との間には、索２が通っておりメインローラ側に延びている（図４）。また、第二補助ローラ４Ｂとシーブ１の案内溝１０との間は索２の径よりも大きく、第二補助ローラ４Ｂは通常時において索２と接触しないよう設定されている。
【００４２】
次に、本実施の形態に係る索の外れ止め装置Ａの作用効果について説明する。本実施の形態に係る索の外れ止め装置Ａは、案内溝１０の両側に起立するとともに案内溝１０に沿って移動可能な一対の回転ガイド３２ｂ、３２ｂと、これら回転ガイド３２ｂ，３２ｂの間に回転可能に保持されるメインローラ４とを備えており、索の外れ止め装置Ａの回転は、図４に示すように、メインローラ１が索２に当接する位置で止まる。
【００４３】
そして、索２に吊荷Ｂが吊り下げられて荷重がかかっている場合には、クレーンＣの姿勢変化によらず、索２は常にシーブ１の海側端部から鉛直方向に垂れ下がっているため、メインローラ４が取り付けられる中央の回転ガイド３２ｂが常に海側を向くように索の外れ止め装置Ａが回転する（図２（ａ））。
【００４４】
したがって、本実施の形態に係る索の外れ止め装置Ａは、クレーンＣの姿勢変化によりシーブ１への索２の引っ掛かり量が変化した場合にも、シーブ１から離れる索２の位置に応じて回転し、索２がシーブ１から離れたところ２ｂ（図４）をメインローラ４で押さえ、常に索２のシーブ１から離れる位置近傍にて索２の外れ止めをすることが可能となる。
【００４５】
また、索２に荷重がかかっていない場合には、索の外れ止め装置Ａは自重でメインローラ４が甲板側を向くように回転し、索２はメインローラ４で支えられながらシーブ１の甲板側から垂れ下がるため、索２に負荷がかからない。
【００４６】
また、本実施の形態に係る索の外れ止め装置Ａは、シーブ１への索２の引っ掛かり量に応じて索２の外れ止めをしたとしても、その構成が簡易であり、シーブ１への着脱作業が容易であるため、索２の取り外し作業を容易にすることができる。
【００４７】
また、本実施の形態において、索の外れ止め装置Ａは、案内溝１０の両側に起立し上記回転ガイド３２ｂ，３２ｂとともに案内溝１０に沿って移動可能な他の一対の回転ガイド３２ａ，３２ａと、これら回転ガイド３２ａ，３２ａの間に回転可能に保持される第一補助ローラ４Ａとを備えており、索２がメインローラ４と第一補助ローラ４Ａとの間から垂れ下げられている。
【００４８】
このため、索２から吊荷Ｂが降ろされる等、索２にかかる荷重が急激に小さくなり、図６に示すように、索２が跳ねあがって索の外れ止め装置Ａを押し上げる方向（図６中矢印Ｘ方向）に回転させた場合、二点鎖線で示すように、第一補助ローラ４Ａが索２に当接してそれ以上の回転を阻止する。したがって、索の外れ止め装置Ａは、索２がシーブ１から垂れ下がるところをメインローラ４で常に押さえることが可能となる。
【００４９】
また、本実施の形態において、索の外れ止め装置Ａは、案内溝１０の両側に起立し上記回転ガイド３２ｂ，３２ｂとともに案内溝１０に沿って移動可能なその他の一対の回転ガイド３２ｃ，３２ｃと、これら回転ガイド３２ｃ，３２ｃの間に回転可能に保持される第二補助ローラ４Ｂとを備えており、索２が第二補助ローラ４Ｂと案内溝１０との間を通り、メインローラ４と案内溝１０との間を通ったところから垂れ下げられている。さらに、案内溝１０と第二補助ローラ４Ｂとの間は、索２の径よりも大きく設定されている。
【００５０】
このため、索２にかかる荷重が小さい状態で索２が繰り出され、図７に示すように、メインローラ４のウインチ側で索２が浮き上がってきた場合、索２が案内溝１０から外れる前に第二補助ローラ４Ｂで索２の浮き上がりを押さえることが可能となる。
【００５１】
また、本実施の形態において、索の外れ止め装置Ａは、シーブ１の両側に相対向して配置される一対の回転体３，３と、各回転体３，３に取り付けられてシーブ１に摺接する摺動部材７，７とを備えるとともに、各回転体３，３の端部に上記各回転ガイド３２ａ，３２ｂ，３２ｃが形成されていることから、索の外れ止め装置Ａが回転する際のガタツキを抑制することが可能となる。
【００５２】
また、本実施の形態において、シーブ１の両側には、環板状のハウジング片６，６がそれぞれ固定されており、これらハウジング片６，６とシーブ１との間にシーブ１と同心円の環状のポケット６ａが形成されている。また、上記摺動部材７が環状に形成されて内周側が上記ポケット６ａ内に挿入されている。
【００５３】
このため、回転体３の回転中心がシーブ１の回転中心と同じになり、回転ガイド３２ａ，３２ｂ，３２ｃの回転中心もシーブ１の回転中心と同じになることから、回転ガイド３２ａ，３２ｂ，３２ｃをシーブ１の外周に形成される案内溝１０に沿って容易に移動させることが可能となる。
【００５４】
また、本実施の形態において、案内溝１０は、中央部１０ａが深く、両端にかけて徐々に浅くなるよう形成されていることから、索２が案内溝１０から外れにくい。
【００５５】
また、本実施の形態において、メインローラ４及び第二補助ローラ４Ｂは、中央部４０，４１が大径で両端にかけて徐々に小径に形成され、メインローラ４及び第二補助ローラ４Ｂの中央部４０，４１が上記案内溝１０の中央部１０ａに対向することから、索２を案内溝１０の中心付近に維持することが可能となる。
【００５６】
また、本実施の形態において、第一補助ローラ４Ａと案内溝１０との間には、索２が通っていないことから、第一補助ローラ４Ａを円筒状に形成して、簡易な形状とし、安価に製造することが可能となる。
【００５７】
また、本実施の形態に係る索の外れ止め装置Ａは、船舶の甲板上に搖動可能に起立して索２を介して吊荷Ｂを吊持する門型のクレーンＣと、上記索２を繰り出し、巻き取るウインチＷと、上記索２を案内するシーブ１とを備える着水揚収装置に利用されており、上記シーブ１は、上記クレーンＣの横支柱Ｃ２に固定されるアームＤに回転可能に支持されるトップシーブである。
【００５８】
そして、トップシーブたるシーブ１においては、クレーンＣの姿勢変化による索２の引っ掛かり量の変化が特に大きい。また、シーブ１から垂れ下がる索２の位置に応じて吊荷Ｂの位置が変化することから、索２をシーブ１の所定の位置から垂れ下げる必要がある。
【００５９】
したがって、本実施の形態のように、シーブ１に索の外れ止め装置Ａを取り付け、索２の引っ掛かり量に応じて常に索２がシーブ１から離れるところで外れ止めをすることが特に有効である。
【００６０】
以上、本発明の好ましい実施の形態を説明したが、特許請求の範囲から逸脱することなく改造、変形及び変更を行うことができることは理解すべきである。
【００６１】
例えば、上記実施の形態において、索の外れ止め装置Ａは、船舶に搭載される着水揚収装置のトップシーブたるシーブ１に取り付けられているが、トップシーブ以外のシーブに取り付けられるとしても良く、また、陸上で利用されるクレーン等に利用されるとしても良い。
【００６２】
また、上記実施の形態において、索の外れ止め装置Ａは、案内溝１０に沿って移動可能な三対の回転ガイド（３２ａ，３２ａと、３２ｂ，３２ｂと、３２ｃ，３２ｃ）を備えており、対応する回転ガイドにメインローラ４及び第一、第二補助ローラ４Ａ，４Ｂが回転可能に保持されているが、第一補助ローラ４Ａ及び、または第二補助ローラ４Ｂや、これに対応する回転ガイド（３２ｂ，３２ｂと、３２ｃ，３２ｃ）を備えていなくても良い。
【００６３】
また、シーブ１の案内溝１０の形状や、メインローラ４及び第一、第二補助ローラ４Ａ，４Ｂの形状は、上記の限りではなく、適宜形状を選択することが可能である。
【００６４】
また、上記実施の形態において、索の外れ止め装置Ａは、シーブ１に摺接し、シーブ１と相対回転可能となっているが、シーブ１が取り付けられる軸Ｄ１に回転可能に取り付けられていても良い。
【００６５】
また、上記実施の形態において、ローラ４及び第一、第二補助ローラ４Ａ，４Ｂが対となる回転ガイド（３２ａ，３２ａと、３２ｂ，３２ｂと、３２ｃ，３２ｃ）に支持されているが、片持ち支持されていても良い。
【符号の説明】
【００６６】
Ａ，Ａ１  索の外れ止め装置
Ｂ  吊荷
Ｃ  クレーン
Ｄ  アーム
Ｗ  ウインチ
１  シーブ
２  索
３  回転体
４  メインローラ
４Ａ  第一補助ローラ
４Ｂ  第二補助ローラ
５  軸受
６  ハウジング片
７  摺動部材
８，８Ａ，８Ｂ  ローラ軸
１０  案内溝
１１  孔
１２，１３  段差面
３０  連結環
３１  第一支持片
３２  第二支持片
３２ａ，３２ｂ，３２ｃ  回転ガイド
３３  連結片
【図１】
0005977537.tif 000002
【図２】
0005977537.tif 000003
【図３】
0005977537.tif 000004
【図４】
0005977537.tif 000005
【図５】
0005977537.tif 000006
【図６】
0005977537.tif 000007
【図７】
0005977537.tif 000008
【図８】
0005977537.tif 000009